【手続補正書】
【提出日】平成18年6月13日(2006.6.13)
【手続補正１】
【補正対象書類名】明細書
【補正対象項目名】特許請求の範囲
【補正方法】変更
【補正の内容】
【特許請求の範囲】
【請求項１】  印刷媒体に印刷された磁気インクを検知するために、前記印刷媒体に対して該印刷媒体の表面に沿った所定の相対移動方向に相対的に移動して磁気インクによる磁界を検出する磁気インク検知用磁気センサーであって、
前記印刷媒体の表面に対して、ＮＳの磁極を結ぶ方向が概ね垂直で一方の磁極が接触または近接するように配置された着磁用磁石と、
磁界検出方向が前記印刷媒体の表面に平行な面内で前記相対移動方向に垂直な方向とされた２つの磁気検出部を前記磁界検出方向に沿って並ぶように配置してなる磁気検出素子とを有し、
前記印刷媒体に対する相対的な移動に伴って、前記着磁用磁石により前記印刷媒体を着磁し、該着磁した部分の磁気インクの量に応じた磁界を前記磁気検出素子の２つの磁気検出部によって差動検出することを特徴とする磁気インク検知用磁気センサー。
【請求項２】  印刷媒体に印刷された磁気インクを検知するために、前記印刷媒体に対して該印刷媒体の表面に沿った所定の相対移動方向に相対的に移動して磁気インクによる磁界を検出する磁気インク検知用磁気センサーであって、
前記印刷媒体の表面に対して、ＮＳの磁極を結ぶ方向が前記相対移動方向に沿って傾斜して一方の磁極が接触または近接するように配置された着磁用磁石と、
磁界検出方向が前記印刷媒体の表面に平行な面内で前記相対移動方向に垂直な方向とされた２つの磁気検出部を前記磁界検出方向に沿って並ぶように配置してなる磁気検出素子とを有し、
前記印刷媒体に対する相対的な移動に伴って、前記着磁用磁石により前記印刷媒体を着磁し、該着磁した部分の磁気インクの量に応じた磁界を前記磁気検出素子の２つの磁気検出部によって差動検出することを特徴とする磁気インク検知用磁気センサー。
【請求項３】  前記着磁用磁石のＮＳの磁極を結ぶ方向と前記相対移動方向の成す角度で前記磁気検出素子側の角度は、９０°より小さく、前記着磁用磁石の前記印刷媒体を着磁する着磁側磁極の中心と該着磁側磁極の反対側の磁極の中心とが、前記磁気検出素子の中心を通り前記磁界検出方向に平行な直線から等距離になる角度以上であることを特徴とする請求項２に記載の磁気インク検知用磁気センサー。
【請求項４】  前記着磁用磁石のＮＳの磁極を結ぶ方向と前記相対移動方向の成す角度で前記磁気検出素子側の角度は、前記着磁用磁石の前記印刷媒体を着磁する着磁側磁極の中心と該着磁側磁極の反対側の磁極の中心とが、前記磁気検出素子の中心を通り前記磁界検出方向に平行な直線から等距離になる角度であることを特徴とする請求項２に記載の磁気インク検知用磁気センサー。
【請求項５】  前記着磁用磁石のＮＳの磁極間の距離が、前記印刷媒体を着磁する着磁側磁極の中心から前記磁気検出素子の中心を通り前記磁界検出方向に平行な直線までの距離の３／４以下であることを特徴とする請求項１に記載の磁気インク検知用磁気センサー。
【請求項６】  前記着磁用磁石は１個の磁石からなり、該磁石の前記印刷媒体を着磁する着磁側磁極の中心と前記磁気検出素子の２つの磁気検出部の中点を結ぶ直線の方向が前記相対移動方向に一致するように配置されることを特徴とする請求項１から５までのいずれか１項に記載の磁気インク検知用磁気センサー。
【請求項７】  棒状に形成された１個の着磁用磁石と、コの字形に形成された軟磁性材とを、前記着磁用磁石を内側にして全体としてＥ字形になるように組み合せた着磁体を有し、該着磁体の前記Ｅ字形の開放された側の３箇所の端部が前記印刷媒体の表面に対して接触または近接し、前記相対移動方向に垂直な方向に並ぶように配置されることを特徴とする請求項１から６までのいずれか１項に記載の磁気インク検知用磁気センサー。
【請求項８】  前記着磁用磁石は３個の磁石からなり、該３個の磁石は、概ね前記磁界検出方向に沿って一列に並び、該一列の中央の磁石と両側の２個の磁石のＮＳの磁化方向が逆にされたことを特徴とする請求項１から５までのいずれか１項に記載の磁気インク検知用磁気センサー。
【請求項９】  前記両側の２個の磁石の前記印刷媒体を着磁する着磁側磁極が前記磁界検出方向に平行な同一直線上にあり、且つ前記中央の磁石から等距離の位置に配置されていることを特徴とする請求項８に記載の磁気インク検知用磁気センサー。
【請求項１０】  前記中央の磁石と前記両側の２個の磁石の着磁側磁極が、全て同一直線上に配置されたことを特徴とする請求項９に記載の磁気インク検知用磁気センサー。
【請求項１１】  前記中央の磁石と前記両側の２個の磁石の各々のＮＳの磁極を結ぶ方向が互いに平行であることを特徴とする請求項８から１０までのいずれか１項に記載の磁気インク検知用磁気センサー。
【請求項１２】  前記両側の２個の磁石の前記印刷媒体を着磁する着磁側磁極の中心を結ぶ距離が、前記磁気検出素子の２つの磁気検出部の磁界検出方向の長さ以上であることを特徴とする請求項８から１１までのいずれか１項に記載の磁気インク検知用磁気センサー。
【請求項１３】  前記両側の２個の磁石の前記印刷媒体を着磁する着磁側磁極の中心から、前記磁気検出素子の中心を通り前記磁界検出方向に平行な直線までの距離ａと、前記両側の２個の磁石の着磁側磁極の中心どうしを結ぶ距離ｂに関して、（√２）ａ＞ｂの条件を満たすことを特徴とする請求項８から１２までのいずれか１項に記載の磁気インク検知用磁気センサー。
【請求項１４】  前記中央の磁石と両側の２個の磁石は同形状かつ同じ大きさであることを特徴とする請求項８から１３までのいずれか１項に記載の磁気インク検知用磁気センサー。
【請求項１５】  前記中央の磁石の前記印刷媒体を着磁する着磁側磁極の中心と前記磁気検出素子の２つの磁気検出部の中点を結ぶ直線の方向が前記相対移動方向に一致するように配置されることを特徴とする請求項８から１４までのいずれか１項に記載の磁気インク検知用磁気センサー。
【請求項１６】  高周波電流を印加すると外部磁界に応じてインピーダンスが変化する磁気インピーダンス素子を前記磁気検出素子として用いたことを特徴とする請求項１から１５までのいずれか１項に記載の磁気インク検知用磁気センサー。
【請求項１７】  請求項１から１６までのいずれか１項に記載の磁気インク検知用磁気センサーの出力信号を増幅する磁気インク検知用磁気センサーの信号処理方法であって、
前記磁気センサーの増幅前の出力信号に対して該信号の波形が振れる方向と反対側の方向においてピークホールドまたはミニマムホールドを行って比較電圧を得る工程と、
前記磁気センサーの増幅前の出力信号と前記比較電圧との直流差動増幅を行う工程を有することを特徴とする磁気インク検知用磁気センサーの信号処理方法。
【請求項１８】  請求項１６に記載の磁気インク検知用磁気センサーであって、前記磁気検出素子の２つの磁気検出部が直列に接続された磁気センサーと、
前記２つの磁気検出部の直列接続に高周波電流を印加する発振回路と、
前記２つの磁気検出部の直列接続の接地側の磁気検出部の両端から外部磁界に対する電圧の振幅変化を取り出す検波回路と、
該検波回路の出力信号に対して、該信号の波形が振れる方向と反対側の方向においてピークホールドまたはミニマムホールドを行って比較電圧を得る電圧保持回路と、
前記検波回路の出力信号と前記比較信号とを差動直流増幅するＤＣアンプとを有することを特徴とする磁気インク検知装置。
【請求項１９】  請求項１６に記載の磁気インク検知用磁気センサーと、
高周波電流を発振する発振回路と、
該発振回路から発振される高周波電流を前記磁気センサーの磁気検出素子の２つの磁気検出部のそれぞれに別々に印加する２系統の回路と、
前記２つの磁気検出部のそれぞれの両端から外部磁界に対する電圧の振幅変化を取り出す２つの検波回路と、
該２つの検波回路の出力を低ゲインで差動増幅する差動アンプと、
該差動アンプの出力信号に対して、該信号の波形が振れる方向と反対側の方向においてピークホールドまたはミニマムホールドを行って比較電圧を得る電圧保持回路と、
前記差動アンプの出力信号と前記比較信号とを差動直流増幅するＤＣアンプとを有することを特徴とする磁気インク検知装置。
【手続補正２】
【補正対象書類名】明細書
【補正対象項目名】００２９
【補正方法】削除
【補正の内容】
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】変更
【補正の内容】
【００３１】
また、前記磁気検出素子は、例えば高周波電流を印加すると外部磁界に応じてインピーダンスが変化する磁気インピーダンス素子とする。